(57)【要約】      （修正有）【課題】キッチン、洗面化粧台等で空容器の洗浄を効率よく行なうことのできる吐水装置の提供。【解決手段】吐水板４３に設けられた通水孔１５から湯水が吐水される吐水装置１０において、吐水板４３には空容器Ａの注ぎ口Ｂに対して進退自在とした通水筒１４が装着され、この通水筒１４に通水孔１５が設けることにより空容器Ａの注ぎ口Ｂから湯水がはみ出すことなく空容器Ａの洗浄を素早く行うことができる。【選択図】図３
2009002108.tif 000002
【特許請求の範囲】
【請求項１】
吐水板に設けられた通水孔から湯水が吐水される吐水装置において、前記吐水板には空容器の注ぎ口に対して進退自在とした通水筒が装着され、この通水筒に通水孔が設けられたことを特徴とする吐水装置。
【請求項２】
前記通水筒は吐水板から進退自在に装着されたことを特徴とする請求項１記載の吐水装置。
【請求項３】
前記通水筒はその外径を２０ｍｍ以下としたことを特徴とする請求項１又は請求項２記載の吐水装置。
【請求項４】
前記吐水板には第１通水孔と第２通水孔とが設けられ、通水筒は操作ハンドルと連繋し、操作ハンドルの操作により吐水板から吐水される湯水の流路を、通水筒の第１通水孔からの吐水と、通水筒の外側に設けられた第２通水孔からの吐水とに切替可能としたことを特徴とする請求項１乃至請求項３のいずれかに記載の吐水装置。
【発明の詳細な説明】
【技術分野】
【０００１】
この発明は、キッチン、洗面化粧台等で使用され、例えばペットボトル等の注ぎ口等の口径の小さい容器の洗浄に適した吐水装置に関するものである。
【背景技術】
【０００２】
近年、家庭内で使用されるごみが大量に発生するため、その処理に関し社会問題となっており、例えば果汁飲料、清涼飲料、お茶、ミネラルウォーター、醤油や酢などの調味料が収容された使用済みのペットボトル等の空容器に関しては、収容部内面に液剤が付着しているため、その収容部内面を水により洗浄して液剤を除去した後に、廃棄することが義務付けられている。この場合、一般的な空容器はその注ぎ口の径が収容部と比較して狭く形成されている。
また、空容器の洗浄を行なうことのできる吐水装置として例えば特許文献１があり、この特許文献１の吐水装置では、切替部材と連繋した切替操作部材により、湯水の吐水形態を直流吐水又はシャワー散水の何れかに交互に切り替えられる切替部材を備えている。
【０００３】
【特許文献１】特開２００５−１６０３２号公報
【発明の開示】
【発明が解決しようとする課題】
【０００４】
しかしながら特許文献１の吐水装置では、湯水が吐水される吐水口の形状が空容器の洗浄に適しておらず、吐水される湯水の吐水形態が直流状態の時に、吐水装置の吐水部の中央部から吐水される直流水を、ペットボトルなどの注ぎ口の小さな空容器に入れようとした場合、吐水装置の吐水口の先端外径が空容器の注ぎ口の口径より大径であるため、空容器の内部に湯水を入れることができない。しかも直流水が吐水口のどこから吐水されるか確認することができない。そのため、空容器に湯水を入れる場合に、吐水装置から吐水された湯水が空容器の注ぎ口からはみ出してしまい、収容部内面には一部の湯水のみが入り、収容部へ湯水が溜まり難いばかりでなく、空容器の外側に湯水が溢れ出てしまい、効率よく空容器の洗浄を行なうことができないものであった。
【０００５】
本発明は、このような従来の技術に存在する問題点に着目してなされたものであり、その目的は、キッチン、洗面化粧台等で空容器の洗浄を効率よく行なうことのできる吐水装置を提供することにある。
【課題を解決するための手段】
【０００６】
上記目的を達成するために請求項１に記載の発明では、吐水板に設けられた通水孔から湯水が吐水される吐水装置において、前記吐水板には空容器の注ぎ口に対して進退自在とした通水筒が装着され、この通水筒に通水孔が設けられたものである。
【０００７】
請求項２では請求項１記載の発明による吐水装置において、前記通水筒は吐水板から進退自在に装着されたものである。
【０００８】
請求項３では請求項１又は請求項２記載の発明による吐水装置において、前記通水筒はその外径を２０ｍｍ以下としたものである。
【０００９】
請求項４では請求項１乃至請求項３のいずれかに記載の吐水装置において、前記吐水板には第１通水孔と第２通水孔とが設けられ、通水筒は操作ハンドルと連繋し、操作ハンドルの操作により吐水板から吐水される湯水の流路を、通水筒の第１通水孔からの吐水と、通水筒の外側に設けられた第２通水孔からの吐水とに切替可能としたものである。
【発明の効果】
【００１０】
請求項１に記載の発明によると、空容器の洗浄を行なう場合に、使用者は通水筒の位置を確認した後に、空容器の注ぎ口に入れることができ、空容器の注ぎ口から湯水がはみ出すことがなく、容器の外側を濡らす事もなく、容器の洗浄を素早く行なうことができる。
【００１１】
請求項２に記載の発明による吐水装置では、通水筒は必要時のみ露出させることができ、使用しない場合は邪魔になることがない。
【００１２】
請求項３に記載の発明による吐水装置では、通水筒はその外径を２０ｍｍ以下としたので、例えば果汁飲料、清涼飲料、お茶、ミネラルウォーター、醤油や酢などの調味料が収容された使用済みのペットボトル等の一般的なペットボトル等の空容器に対応できる。
【００１３】
請求項４に記載の発明による吐水装置では、操作ハンドルを操作することにより湯水の流路を切替えれば、通常の吐水が可能である。
【発明を実施するための最良の形態】
【００１４】
以下、本発明を具体化した実施例を図に基づいて詳細に説明する。
【実施例】
【００１５】
図１に示すように、本発明の吐水装置１０が取付けられた水栓２は、例えばキッチンのカウンター１の上部に装着され、その胴体部３の上端には操作レバー４が取付けられている。そして、この操作レバー４を垂直軸線の周りで左右方向に回動操作することにより、吐水装置１０から吐水される湯水の混合比が変更されて温度が調節される。また、操作レバー４を水平軸線の周りで上下方向に回動操作することにより、吐水装置１０から吐水される湯水の流路開閉及び流量調節が行なわれるようになっている。なお、ここでいう湯水とは水を含む。
【００１６】
図３及び図４に示すように、吐水装置１０は水栓２の胴体部３先端に取付けられ、その本体１１の下部に吐水部１２が突設されている。吐水部１２はその中心に通水筒１４が装着され、この通水筒１４に第１通水孔１５が設けられている。吐水部１２は通水筒１４の周囲に第２通水孔１６が複数個設けられている。通水筒１４は操作ハンドル１３と連繋し、操作ハンドル１３は水平方向に回動可能である。そして、この操作ハンドル１３を水平方向に回動操作することにより、吐水部１２から吐水される湯水が通水筒１４の第１通水孔１５からの吐水と、第２通水孔１６からの吐水とに、交互に切替られるようにしている。
【００１７】
次に、前記吐水装置１０の構成について詳細に説明する。
図３に示すように、この吐水装置１０は仕切壁３２により内部の流路が上下に区画形成され、上部を流入室３３、下部を流出室３４とすると共に、仕切壁３２には貫通孔３５を設け、この貫通孔３５により流入室３３と流出室３４とを連通させている。流入室３３は側面に流入口３６を有すると共に上面中央部に挿通孔３９を開設し、その挿通孔３９の下部周囲に案内壁４０を垂設している。
案内壁４０は下方を開放した筒状に形成され、その内周面に雌ねじ部４１を有すると共に下端面に第１弁座４２が形成されている。前記流出室３４は下方を開口し、その開口部には吐水板４３が螺着されている。
【００１８】
前記吐水板４３は中央部に挿通孔４３ａが穿設され、その挿通孔４３ａに前記通水筒１４が上下進退自在に挿通されるものである。通水筒１４には前記第１通水孔１５が設けられ、吐水板４３は第１通水孔１５の周囲に多数の小孔より成る第２通水孔１６が設けられている。
通水筒１４はその外径を、例えば果汁飲料、清涼飲料、お茶、ミネラルウォーター、醤油や酢などの調味料が収容された使用済みのペットボトル等の空容器Ａの注ぎ口Ｂより小径である２０ｍｍ以下とし、注ぎ口Ｂに対し進退自在としている。
前記仕切壁３２の貫通孔３５には弁座管５５が螺着され、この弁座管５５の上端面には第２弁座５６が形成されており、この第２弁座５６は前記第１弁座４２とは相対している。弁座管５５には流入室３３と流出室３４とを連通させる第２連通孔５７が穿設されている。
４７は弁棒で、この弁棒４７は周面の一部を膨出して大径部４８が形成され、その大径部４８の直下の側面より下端面に貫通する第１連通孔４９を設けると共に、大径部４８及び第１連通孔４９の側面開口より下方の周面には小径部５１が設けられている。弁棒４７は大径部４８の外周面に形成された雄ねじ部５０を案内壁４０の雌ねじ部４１に螺合し、案内壁４０内に挿入し、上部を本体１１の上面に開設した挿通孔３９より外部へ突き出してハンドル５２を取付け、下部の小径部５１には前記通水筒１４を螺着して、この通水筒１４を吐水板４３の挿通孔４３ａに上下進退自在に挿通している。
５４は弁体で、硬質材よりなる座金５４ａを軟質材５４ｂで被覆した環状体に形成し、弁棒４７の小径部５１の上方に形成された段部５１ａの下面に通水筒１４の上端面で押当固着され、第１弁座４２と第２弁座５６との間に配置され、弁棒４７の上下動により両弁座４２、５６に接離する。
【００１９】
本発明の吐水装置１０において、通水筒１４から空容器Ａへ湯水を吐水させるには、図３に示すように操作ハンドル１３を回動操作して弁棒４７を下降させ、弁体５４を第１仕切壁３２の第２弁座５６に当接させる。そして、流入室３３と流出室３４とは、弁体５４が弁座管５５の第２連通孔５７を閉塞することによりその連通状態が閉じられる。すると、流入口３６より流入室３３内に流入した湯水は、弁棒４７の連通孔４９に供給され、通水筒１４の第１通水孔１５へ吐水される。このように通水筒１４の第１通水孔１５からの湯水の吐水時には、弁棒４７が下方向へ下がった状態であるため、弁棒４７に螺着されている通水筒１４も下方向へ下がった状態であり、通水筒１４の下部は吐水板４３より露出した状態にある。このため、通水筒１４はその外径が、例えば果汁飲料、清涼飲料、お茶、ミネラルウォーター、醤油や酢などの調味料が収容された使用済みのペットボトル等の空容器Ａの注ぎ口Ｂより小径であり、注ぎ口Ｂに対し通水筒１４を進退自在とすることができ、空容器Ｂの洗浄を素早く行なうことができる。また、使用者は通水筒の位置を確認した後に、空容器の注ぎ口に入れることができる。
【００２０】
次に吐水板４３の第２通水孔１６から湯水を吐水させるには、図４に示すようにハンドル５２を操作して弁棒４７を上昇させ、弁体５４を第１弁座４２に当接させる。そして、流入室３３と弁棒４７の第１連通孔４９との連通が閉じられる。すると、流入口３６より流入室３３内に流入した湯水は弁座管５５の第２連通孔５７を通過して流出室３４に供給され、吐水板４３の第２通水孔１６より吐水される。なお、第２通水孔１６からの吐水時には弁棒４７が下方向へ下降した状態でないため、通水筒１４の下部は吐水板４３より突き出た状態ではない。
【００２１】
以上のように本発明による吐水装置では、通水筒の先端が吐水板から露出した状態である。このため、吐水筒の先端を容器の注ぎ口に対し進退自在に入れることができる。本発明の吐水装置では、吐水孔の先端を容器の注ぎ口に入れることができるため、容器の注ぎ口から湯水がはみ出すことがなく、容器の外側を濡らすこともなく、容器の洗浄を素早く行なうことができる。また、通水筒は必要時のみ露出させることができ、使用しない場合は邪魔になることがない。
【００２２】
なお、本実施例では操作ハンドルの回動操作により流体の流路を切替えているが、切替構造はプッシュ式、ボタン式でもよい。
【図面の簡単な説明】
【００２３】
【図１】実施例の吐水装置が取り付けられた水栓において、通水筒からの吐水状態の説明図である。
【図２】実施例の吐水装置が取り付けられた水栓において、通水筒からの吐水を行なわない場合の説明図である。
【図３】図１の吐水状態の断面図である。
【図４】図２の吐水状態の断面図である。
【符号の説明】
【００２４】
１０：吐水装置
１３：操作ハンドル
１４：通水筒
１５：第１通水孔
１６：第２通水孔
４３：吐水板
Ａ  ：空容器
Ｂ  ：注ぎ口
【図１】
2009002108.tif 000003
【図２】
2009002108.tif 000004
【図３】
2009002108.tif 000005
【図４】
2009002108.tif 000006